(57)【要約】【課題】  簡単な構成により、表示パネルをパネルホルダ内でガタつかせることなく確実に位置決めすることを低コストで実現する。【解決手段】  表示パネルＰと、４辺に側枠板１２３ａ〜１２３ｄを有し上面に表示窓１２１が設けられているパネルホルダ１２０とを含み、表示パネルＰがパネルホルダ１２０内に収納されている表示装置１００において、表示パネルＰの少なくとも対向する２辺に沿って装着される第１，第２枠メンバー１１２ｂ，１１２ｄを含む軟質樹脂材からなるパッキン１１０を備え、パッキン１１０を位置決め手段として表示パネルＰをパネルホルダ１２０内に固定する。【選択図】  図１
2007065346.tif 000002
【特許請求の範囲】
【請求項１】
表示パネルと、４辺に側枠板を有し上面に表示窓が設けられているパネルホルダとを含み、上記表示パネルが上記パネルホルダ内に収納されている表示装置において、
上記表示パネルの少なくとも対向する２辺に沿って装着される第１，第２枠メンバーを含む軟質樹脂材からなるパッキンを備え、上記パッキンを位置決め手段として上記表示パネルが上記パネルホルダ内に固定されることを特徴とする表示装置。
【請求項２】
上記表示パネルの残された２辺のうちの１辺に沿って装着される第３枠メンバーをさらに備え、上記第３枠メンバーが上記第１，第２枠メンバーの各一端間に一体に連結されていることを特徴とする請求項１に記載の表示装置。
【請求項３】
上記各枠メンバーには、上記表示パネルの側端面に嵌合するスリット溝が形成されていることを特徴とする請求項１または２に記載の表示装置。
【請求項４】
上記パネルホルダが金属材からなり、上記側枠板の下端には上記パッキンを上記パネルホルダ内に押さえ込む折曲げ可能な係止爪が一体に形成されていることを特徴とする請求項１ないし３のいずれか１項に記載の表示装置。
【請求項５】
上記側枠板と上記パッキンとの間には、凹凸嵌合によりなる係止手段が設けられていることを特徴とする請求項１ないし３のいずれか１項に記載の表示装置。
【発明の詳細な説明】
【技術分野】
【０００１】
本発明は、表示パネルをパネルホルダ内に収納してなる表示装置に関し、さらに詳しく言えば、パネルホルダ内での表示パネルの位置決め固定手段に関するものである。
【背景技術】
【０００２】
表示パネルには、液晶表示パネルのほかに有機ＥＬパネルやプラズマディスプレイパネルなどがあるが、いずれのパネルも機器に組み込む場合パネル単体で取り扱われることはほとんどなく、フレキシブル基板などの周辺機器を接続したパネルをパネルホルダ内に収納してモジュール化するようにしている。
【０００３】
表示パネルをパネルホルダ内に収納する場合、表示パネルをパネルホルダ内でガタつかせることのないよう、何らかの手段で位置決め固定する必要がある。その固定方法にはいくつかの方法が知られているが、両面粘着テープによる固定方法が一般的である。
【０００４】
しかしながら、近年の小型化・軽量化の要請に伴ってパネルホルダの構造も狭額縁化を余儀なくされ、パネルホルダ内に両面粘着テープを配置するスペースを確保することが困難になってきている。
【０００５】
そこで、特許文献１では、両面粘着テープによることなく表示パネルを固定できるようにした液晶表示パネル用のパネルホルダを提案している。このパネルホルダは、表示窓を有する上側ケースと、液晶表示パネルの裏面側を支持する下側ケースとを含み、その内部に液晶表示パネルを収納する。
【０００６】
上側ケースは下側ケースにはめ込まれ、それら側枠間に設けられている雌雄嵌合手段により一体的に連結される。上側ケースの側枠の一部分には、斜めの角度をもってパネルホルダ内に向けて突出する弾性変形可能な押圧片が一体に形成されており、上側ケースを下側ケースにはめ込む際、その押圧片が液晶表示パネルの側面に弾性的に当接して、液晶表示パネルを固定する。
【０００７】
【特許文献１】特開２００５−７７７５４号公報
【発明の開示】
【発明が解決しようとする課題】
【０００８】
上記特許文献１のパネルホルダによれば、両面粘着テープを不要として、しかも上側ケースを下側ケースにはめ込むだけの作業で、液晶表示パネルをパネルホルダ内に固定することができるが、これには次のような問題がある。
【０００９】
すなわち、上側ケースの側枠の一部分にパネル固定用の押圧片を一体に形成し、また、上側ケースと下側ケースの各側枠間に連結用の雌雄嵌合手段を備える構成であるため、合成樹脂製，金属製のいずれにしても、各ケースごとに高価な金型（モールド金型，プレス金型）を必要とするため、結果的にそのコストが製品価格に転嫁されることになる。
【００１０】
また、パネルホルダの薄型化には金属製であることが好ましいが、液晶表示パネルの端子部にはリード電極が配線されているため、その絶縁対策として樹脂皮膜を有する金属板を用いる必要がある。この種の樹脂皮膜付き金属板は、通常の金属板よりも高価であるため、さらにコストアップとなる。
【００１１】
したがって、本発明の課題は、表示パネルをパネルホルダに収納するに際して、簡単な構成により、表示パネルをパネルホルダ内でガタつかせることなく確実に位置決めすることを低コストで実現することにある。
【課題を解決するための手段】
【００１２】
上記課題を解決するため、請求項１に係る発明は、表示パネルと、４辺に側枠板を有し上面に表示窓が設けられているパネルホルダとを含み、上記表示パネルが上記パネルホルダ内に収納されている表示装置において、上記表示パネルの少なくとも対向する２辺に沿って装着される第１，第２枠メンバーを含む軟質樹脂材からなるパッキンを備え、上記パッキンを位置決め手段として上記表示パネルが上記パネルホルダ内に固定されることを特徴としている。
【００１３】
請求項２に係る発明は、上記請求項１において、上記表示パネルの残された２辺のうちの１辺に沿って装着される第３枠メンバーをさらに備え、上記第３枠メンバーが上記第１，第２枠メンバーの各一端間に一体に連結されていることを特徴としている。
【００１４】
請求項３に係る発明は、上記請求項１または２において、上記各枠メンバーには、上記表示パネルの側端面に嵌合するスリット溝が形成されていることを特徴としている。
【００１５】
請求項４に係る発明は、上記請求項１ないし３のいずれか１項において、上記パネルホルダが金属材からなり、上記側枠板の下端には上記パッキンを上記パネルホルダ内に押さえ込む折曲げ可能な係止爪が一体に形成されていることを特徴としている。
【００１６】
請求項５に係る発明は、上記請求項１ないし３のいずれか１項において、上記側枠板と上記パッキンとの間には、凹凸嵌合によりなる係止手段が設けられていることを特徴としている。
【発明の効果】
【００１７】
請求項１に記載の発明によれば、表示パネルの少なくとも対向する２辺に沿って装着される第１，第２枠メンバーを含む軟質樹脂材からなるパッキンを備え、上記パッキンを位置決め手段として表示パネルがパネルホルダ内に固定されるため、表示パネルをパネルホルダに収納するに際して、簡単な構成により、表示パネルをパネルホルダ内でガタつかせることなく確実に位置決めすることを低コストで実現することができる。
【００１８】
表示パネルの残された２辺のうちの１辺に沿って装着される第３枠メンバーをさらに備え、第３枠メンバーを第１，第２枠メンバーの各一端間に一体に連結するようにした請求項２に記載の発明によれば、表示パネルをより確実に位置決めできるとともに、耐落下衝撃性も向上する。
【００１９】
各枠メンバーに表示パネルの側端面に嵌合するスリット溝を形成するようにした請求項３に記載の発明によれば、表示パネルにパッキンを保持させることができ、組立作業性が改善される。
【００２０】
パネルホルダを金属材とし、その側枠板の下端にパッキンをパネルホルダ内に押さえ込む折曲げ可能な係止爪を一体に形成するようにした請求項４に記載の発明によれば、係止爪を折り曲げることにより、パネルホルダ内に表示パネルを確実に保持させることができる。
【００２１】
パネルホルダの側枠板とパッキンとの間に、凹凸嵌合によりなる係止手段を設けるようにした請求項５に記載の発明によれば、パッキンをパネルホルダ内に押し込むだけのいわゆるワンタッチ的な作業により、パネルホルダ内に表示パネルを確実に保持させることができる。
【発明を実施するための最良の形態】
【００２２】
次に、図１および図２により、本発明の実施形態について説明するが、本発明はこれに限定されるものではない。図１は本発明の第１実施形態に係る表示装置を示す分解斜視図，図２は本発明の第２実施形態に係る表示装置を示す分解斜視図である。なお、この実施形態の説明において、パネルホルダに収納される表示パネルを液晶表示パネルとしているが、表示パネルは有機ＥＬパネルなどであってもよい。
【００２３】
図１を参照して、この表示装置１００には、液晶表示パネルＰと、液晶表示パネルＰの周辺に配置されるパッキン１１０と、パネルホルダ１２０とが含まれる。
【００２４】
液晶表示パネルＰは、図示しない液晶層を挟んで対向的に張り合わされた２枚の透明電極基板を備え、その一方の透明電極基板に連設されている端子部Ｐ１に、フレキシブル基板ＦＫの一端が接続される。フレキシブル基板ＦＫの他端は、図示しない外部の制御回路基板に接続される。
【００２５】
パッキン１１０は、例えばゴムやエストラマーなどの軟質樹脂材よりなり、内部に液晶表示パネルＰが配置されるパネル収納空間１１１を有する枠体として形成される。この例において、パッキン１１０は、液晶表示パネルＰの端子部Ｐ１以外の３辺に沿って装着される枠メンバー１１２ｂ，１１２ｃ，１１２ｄと、端子部Ｐ１に沿って装着される枠メンバー１１２ａとを一体に備える。
【００２６】
なお、枠メンバー１１２ａの一部分には、フレキシブル基板ＦＫを引き出すための開口部１１３が設けられる。この例とは異なり、パッキン１１０は、最低限の構成として対向する２辺に配置される枠メンバー１１２ｂ，１１２ｄを備える構成であってもよい。
【００２７】
パッキン１１０の各枠メンバー１１２ａ〜１１２ｄは断面コ字状であって、その各内周壁１１４には、液晶表示パネルＰの側端面に嵌合するスリット溝１１５が一連に形成される。この場合、スリット溝１１５の溝幅を液晶表示パネルＰの厚さよりも若干狭くして、液晶表示パネルＰの側端面に対して強嵌合とすることが好ましい。
【００２８】
パネルホルダ１２０は金属板のプレス成形よりなり、液晶表示パネルＰの表示面に対応して開口された表示窓１２１を有する上板１２２と、上板１２２の４辺から下方に向けて折り曲げられた側枠板１２３ａ〜１２３ｄとを備える。側枠板１２３ａ〜１２３ｄのうち、端子部Ｐ１と対向する側枠板１２３ａには、フレキシブル基板ＦＫを引き出すための開口部１２４が設けられる。
【００２９】
パネルホルダ１２０の側枠板１２３ａ〜１２３ｄにより囲まれる内部空間は、パッキン１１０が緊密に挿入されるように、パッキン１１０の外形寸法よりも狭くされる。また、側枠板１２３ａ〜１２３ｄの下縁には、折り曲げ可能な係止爪１２６が一体的に形成される。この例では、各側枠板１２３ａ〜１２３ｄに係止爪１２６がそれぞれ２つずつ設けられている。
【００３０】
この表示装置１００を組み立てるには、液晶表示パネルＰの周りにパッキン１１０を装着したのち、液晶表示パネルＰをパッキン１１０とともにパネルホルダ１２０内に入れ、係止爪１２６をパッキン１１０の裏面側に折り曲げればよい。これにより、液晶表示パネルＰはパッキン１１０を介してパネルホルダ内にガタつくことなく確実に固定される。
【００３１】
次に、図２に示す第２実施形態について説明する。この実施形態において、パッキン１１０とパネルホルダ１２０は、上記第１実施形態と同一の構成であってよいが、パネルホルダ１２０に対するパッキン１１０の係止手段の構成のみが上記第１実施形態と異なっている。
【００３２】
すなわち、第２実施形態では、パッキン１１０の枠メンバー１１２ａ〜１１２ｄの外周壁１１６に係合突起１１７を形成するとともに、パネルホルダ１２０の側枠板１２３ａ〜１２３ｄの内周壁１２５側には係合穴１２７を形成し、係合突起１１７と係合穴１２７との凹凸嵌合により、パネルホルダ１２０に対してパッキン１１０を係止するようにしている。なお、作図の都合上、側枠板１１２ｃ，１１２ｄの係合突起は表されていない。
【００３３】
この第２実施形態によれば、液晶表示パネルＰに装着されたパッキン１１０をパネルホルダ１２０内に押し込む際、係止突起１１７が側枠板１２３ａ〜１２３ｄを乗り越えて係合穴１２７に嵌合するため、パッキン１１０をパネルホルダ１２０内に押し込むだけのいわゆるワンタッチ的な作業により、パネルホルダ１２０内に液晶表示パネルＰを確実に保持させることができる。なお、配置を入れ替え、係止突起１１７をパネルホルダ１２０側とし、係合穴１２７をパッキン１１０側としてもよい。
【００３４】
以上、第１，第２実施形態により本発明を説明したが、本発明では、軟質樹脂材からなるパッキン１１０を用いたことにより、特に端子部Ｐ１に対する絶縁処理を講ずる必要はない。また、パッキン１１０の内周壁１１４にスリット溝１１５を備える構成であっても、軟質樹脂材であるため、パッキン１１０を金型成形することができる。
【図面の簡単な説明】
【００３５】
【図１】本発明の第１実施形態に係る表示装置を示す分解斜視図。
【図２】本発明の第２実施形態に係る表示装置を示す分解斜視図。
【符号の説明】
【００３６】
１００  表示装置
１１０  パッキン
１１１  収納空間
１１２ａ〜１１２ｄ  枠メンバー
１１３  開口部
１１４  内周壁
１１５  スリット溝
１１６  外周壁
１１７  係合突起
１２０  パネルホルダ
１２１  表示窓
１２２  上板
１２３ａ〜１２３ｄ  側枠板
１２４  開口部
１２５  内周壁
１２６  係止爪
１２７  係合穴
Ｐ  液晶表示パネル
Ｐ１  端子部
ＦＫ  フレキシブル基板
【図１】
2007065346.tif 000003
【図２】
2007065346.tif 000004